(57)【要約】【課題】現場での施工が容易であるだけでなく、主要部材や部品の点数と加工箇所が少なく、安価に製作することができる間仕切り用格子構造およびその製作方法を提供する。【解決手段】天井面１７などに固定される上側横桟３と、床面１８などに固定される下側横桟４と、これら上側横桟３と下側横桟４とに、それぞれの上端と下端とが固着される左、右の縦枠２と、少なくとも１つの格子ユニット５とを備え、上側横桟３は溝条３ａを有する一方、下側横桟４は、前方あるいは後方の一方を開口させたＬ状支持部４ａを有し、格子ユニット５は、上端、下端が上側横桟３の溝条３ａ、下側横桟４のＬ状部４ａの各々に嵌入れられて左、右の縦枠２の間に配列された状態に組立てられる。【選択図】図１
2010018963.tif 000002
【特許請求の範囲】
【請求項１】
天井面などに固定される上側横桟と、床面などに固定される下側横桟と、これら上側横桟と下側横桟とに、それぞれの上端と下端とが固着される左、右の縦枠と、少なくとも１つの格子ユニットと、を備えて構成される間仕切り用格子構造であって、
上記上側横桟は溝条を有する一方、上記下側横桟は、前方あるいは後方の一方を開口させたＬ状支持部を有しており、
かつ上記格子ユニットは、複数の縦材と、これらの複数の縦材を間隔を保持して、それぞれの縦材の上、下端を固定するための横長に形成された横材とを備え、それぞれの上端、下端が上側横桟の溝条、上記下側横桟のＬ状部の各々に嵌入れられて上記左、右の縦枠の間に配列された状態に組立られる構造としたことを特徴とする間仕切り用格子構造。
【請求項２】
請求項１において、
上記格子ユニットは、外側格子ユニットが、上記左、右の縦枠側に配置されるようにして、これら左、右の縦枠側に配置された外側格子ユニットの間の空間に少なくとも１つの中間格子ユニットと、外側格子ユニットとが交互に配列され、
上記中間格子ユニットは、その横方向において、上、下横材の両端部を上記縦材よりも外方に突出させることなく、その両側端部には、一部に切欠部を設けた縦材を固定した構造とされる一方、上記外側格子ユニットは、その横方向において、上、下横材の両端部を上記縦材よりも外方に突出させた構造とされ、
上記中間格子ユニットの上記切欠部に、上記外側格子ユニットの横材の突出した端部を嵌め合わせることで、上記中間格子ユニットと、上記外側格子ユニットとを連接させる構造にしていることを特徴とする間仕切り用格子構造。
【請求項３】
請求項１または２において、
上記上側横桟の前面、後面には、外面が左、右の縦枠と同一面になる上化粧カバーで隠蔽され、かつ上記下側横桟は、外面が左、右の縦枠と同一面になる下化粧カバーで隠蔽される構造にしていることを特徴とする間仕切り用格子構造。
【請求項４】
天井面などに固定される上側横桟と、床面などに固定される下側横桟と、これら上側横桟と下側横桟とに、それぞれの上端と下端とが固着される左、右の縦枠と、少なくとも１つの格子ユニットと、を備えて構成される間仕切り用格子構造の組み立て施工方法であって、
上記格子ユニットは、複数の縦材と、これらの複数の縦材を間隔を保持して、それぞれの縦材の上、下端を固定するための横長に形成された横材とを備え、
上記左、右の縦枠の上端、下端のそれぞれを、上記上側横桟、上記下側横桟に固着して、枠体を構成した後、
上記格子ユニットの上端の横材を上側横桟に形成された溝条に嵌入れるとともに、格子ユニットの下端の横材を下側横桟のＬ状支持部に嵌入れ、
さらに、下側横桟の前方に押さえ部材を固着させて、下側横桟を格子ユニットの下端部とともに隠蔽させて組み立てることを特徴とする間仕切り用格子構造の組み立て施工方法。
【発明の詳細な説明】
【技術分野】
【０００１】
本発明は、例えば、パーティーションなどの建具として用いられる間仕切り用格子構造およびその製作方法の改良に関する。
【背景技術】
【０００２】
従来、パーティーションなどの間仕切り構造は、熟練した指物大工が、現地で天然木材などからなる部材を組立てて施工していた。
【０００３】
このような間仕切り構造、は、一般に、材料の吟味や大工工事に熟練を必要とし、大形品となり搬送なども取扱いにくいことなどの問題もあり、大量生産に不向きであった。
【０００４】
また、近時では建具を製作出来る熟練工が少なくなり、製品も高価になっている。
【０００５】
そこで、扱いやすい大きさの基本ユニットを工場で製作し、現地では、この基本ユニットを結合連結して構成するようにしたものが種々開発されている。
【０００６】
例えば、実用新案文献１には、プラスチック製の格子状基本ユニットを接続棒にて連続した形状に結合することにより、大形で、大量生産が可能な組立格子ユニット製建具が開示され提案されている。
【実用新案文献１】
【０００７】
実用新案登録番号第３０４２００５号公報
【発明の開示】
【発明が解決しようとする課題】
【０００８】
しかしながら、上述の実用新案文献１に開示された間仕切り用格子構造では、何本もの接続棒を用意しなければならないなど主要部材や部品の点数が多くなるために、これらの管理がわずらわしいという問題があった。また、格子状基本ユニットと、これを連続した形状に結合するための接続棒との両方に溝部や突起部などの多数の加工を施さなければならず、それらの加工コストを考慮すると全体として必ずしも安価に製作できないという問題があった。
【０００９】
本発明は上記事情に鑑みてなされたものであり、現場での施工が容易であるだけでなく、現地における製作において、管理しなければならない主要部材や部品の点数を少なくして管理を簡素化することができる間仕切り用格子構造を提供することを目的としている。また、加工箇所を極力少なくして、安価に製作することができる間仕切り用格子構造およびその製作方法を提供することを目的としている。
【課題を解決するための手段】
【００１０】
上記目的を解決するために、請求項１に記載の間仕切り用格子構造は、
天井面などに固定される上側横桟と、床面などに固定される下側横桟と、これら上側横桟と下側横桟とに、それぞれの上端と下端とが固着される左、右の縦枠と、少なくとも１つの格子ユニットと、を備えて構成される間仕切り用格子構造であって、
上記上側横桟は溝条を有する一方、上記下側横桟は、前方あるいは後方の一方を開口させたＬ状支持部を有しており、
かつ上記格子ユニットは、複数の縦材と、これらの複数の縦材を間隔を保持して、それぞれの縦材の上、下端を固定するための横長に形成された横材とを備え、それぞれの上端、下端が上側横桟の溝条、上記下側横桟のＬ状部の各々に嵌入れられて上記左、右の縦枠の間に配列された状態に組立られる構造としたことを特徴とする。
【００１１】
請求項２に記載の間仕切り用格子構造は、請求項１において、上記格子ユニットは、外側格子ユニットが、上記左、右の縦枠側に配置されるようにして、これら左、右の縦枠側に配置された外側格子ユニットの間の空間に少なくとも１つの中間格子ユニットと、外側格子ユニットとが交互に配列され、上記中間格子ユニットは、その横方向において、上、下横材の両端部を上記縦材よりも外方に突出させることなく、その両側端部には、一部に切欠部を設けた縦材を固定した構造とされる一方、上記外側格子ユニットは、その横方向において、上、下横材の両端部を上記縦材よりも外方に突出させた構造とされ、上記中間格子ユニットの上記切欠部に、上記外側格子ユニットの横材の突出した端部を嵌め合わせることで、上記中間格子ユニットと、上記外側格子ユニットとを連接させる構造にしていることを特徴とする。
【００１２】
請求項３に記載の間仕切り用格子構造は、請求項１または２において、上記上側横桟の前面、後面には、外面が左、右の縦枠と同一面になる上化粧カバーで隠蔽され、かつ上記下側横桟は、外面が左、右の縦枠と同一面になる下化粧カバーで隠蔽される構造にしていることを特徴とする。
【００１３】
請求項４に記載の間仕切り用格子構造の組み立て施工方法は、天井面などに固定される上側横桟と、床面などに固定される下側横桟と、これら上側横桟と下側横桟とに、それぞれの上端と下端とが固着される左、右の縦枠と、少なくとも１つの格子ユニットと、を備えて構成される間仕切り用格子構造の組み立て施工方法であって、上記格子ユニットは、複数の縦材と、これらの複数の縦材を間隔を保持して、それぞれの縦材の上、下端を固定するための横長に形成された横材とを備え、上記左、右の縦枠の上端、下端のそれぞれを、上記上側横桟、上記下側横桟に固着して、枠体を構成した後、上記格子ユニットの上端の横材を上側横桟に形成された溝条に嵌入れるとともに、格子ユニットの下端の横材を下側横桟のＬ状支持部に嵌入れ、さらに、下側横桟の前方に押さえ部材を固着させて、下側横桟を格子ユニットの下端部とともに隠蔽させて組み立てることを特徴とする。
【発明の効果】
【００１４】
請求項１に記載の間仕切り用格子構造によれば、あらかじめ少なくとも１つの格子ユニットを準備し、この準備された格子ユニットを上側横桟と、下側横桟との間に挟んで組立てるので、現地での施工が容易であるだけでなく、現地における製作において、管理しなければならない主要部材や部品の点数を少なくして管理を簡素化することができる。また、加工箇所を極力少なくして、安価に製作することができる。
【００１５】
そして、組み立てられた間仕切り用格子は、上側横桟、下側横桟のそれぞれの両側端が左、右の縦枠で隠蔽され、上側横桟、下側横桟の前面、後面が、上、下の化粧カバーで隠蔽され、格子ユニットは、矩形の枠体内に整列された状態でスッキリとした状態に収納配列される。
【００１６】
また、右枠と上化粧カバーとが側面視で面一になっているなど、左、右の縦枠も外観縦枠の側面には何らの突出部がないので、特に、スッキリとした外観になり、意匠性もよい。
【００１７】
請求項２に記載の間仕切り用格子構造によれば、格子ユニットの連結部が露見せず、格子ユニットに前後の区別がない。また、格子間仕切り格子が前後なく使用できる。
【００１８】
請求項３に記載の間仕切り用格子構造によれば、上記上側横桟の前面、後面には上化粧カバーで隠蔽され、かつ上記下側横桟は、下化粧カバーで隠蔽される構造にしているので、外観がよい。
【００１９】
請求項４に記載の間仕切り用格子構造の組み立て施工方法によれば、あらかじめ少なくとも１つの格子ユニットを準備し、この準備された格子ユニットを上側横桟と、下側横桟との間に挟んで組立てるので、現地での施工が容易であるだけでなく、現地における製作において、管理しなければならない主要部材や部品の点数を少なくして管理を簡素化することができる。また、加工箇所を極力少なくして、安価に製作することができる。
【００２０】
そして、組み立てられた間仕切り用格子は、上側横桟、下側横桟のそれぞれの両側端が左、右の縦枠で隠蔽され、下側横桟の前面が、押さえ部材で隠蔽され、格子ユニットは、矩形の枠体内に整列された状態でスッキリとした状態に収納配列される。
【００２１】
また、右枠と上化粧カバーとが側面視で面一になっているなど、左、右の縦枠も外観縦枠の側面には何らの突出部がないので、特に、スッキリとした外観になり、意匠性もよい。
【発明を実施するための最良の形態】
【００２２】
以下、添付図面を参照しながら本発明の好ましい実施の一形態について説明する。図１は、本発明の間仕切り用格子構造の構成を示す分解斜視図である。図２は、間仕切り用格子構造の構成を示す図であり、（ａ）は、図１の立面図を（ｂ）は、側面図をそれぞれ示している。また、図３は、間仕切り用格子構造の構成を示す図２のIII−III縦断面図である。また、図４は、複数の格子ユニットの下部の構成を示す立面図である。
【００２３】
図１〜図３に示すように、間仕切り用格子構造１は、左、右の縦枠２と、左、右の縦枠２を天井面１７（図３）、床面１８（図３）などに、それぞれ固定するための上側横桟３、下側横桟４と、少なくとも１つの格子ユニット５とを備えており、これら左、右の縦枠２と、上側横桟３、下側横桟４と、格子ユニット５とは、木質系の材料で構成される。
【００２４】
ここで、上側横桟３は、図３に示すように、ビス１９を使用して、天井面１７に固定される。この上側横桟３は、溝条３ａを有する一方、下側横桟４は、前方を開口させたＬ状支持部４ａを有している。
【００２５】
また、上側横桟３の前面、後面にはプラスチックもしくはアルミ合金製の上化粧カバー６ａ、６ａで隠蔽され、かつ下側横桟４も、押さえ部材に相当する下化粧カバー７で隠蔽される構造になっている。
【００２６】
ここで、上化粧カバー６ａ、６ａと上側横桟３との取付は、図３に示すように、ビスを使用せずに、化粧カバー６ａの突部６ｂを溝３ｂに嵌め合わせるようになっており、施工の容易な上に、側面から見た場合にも、左、右の縦枠２，２より突出した部分のないすっきりとした外観形状にしている。
【００２７】
また、上記左、右の縦枠２は、それぞれの上端、下端が、上側横桟３、下側横桟４の各々に固着されている。ここで、左、右の縦枠２は、それぞれの上端、下端が、上側横桟３、下側横桟４の各々にネジ８とネジ頭を隠すための穴埋め部材８ａを用いて固着される。
【００２８】
また、上記格子ユニット５は、複数の縦材９と複数の縦材９を並べて固定するための横長に形成された横材１０とを備えており、縦材９と横材１０とは、互いに固定されている。
【００２９】
そして、それぞれ横材１０で構成される格子ユニット５の上端、下端が上側横桟３の溝条３ａ、下側横桟４のＬ状部４ａの各々に嵌入れられて左、右の縦枠２の間に配列された状態に組立られる。
【００３０】
ここで、この格子ユニット５は、外側に配置される外側格子ユニット１１を左、右の縦枠２側に配置して、その間の空間に少なくとも１つの中間格子ユニット１２と、外側格子ユニット１１が交互に配列されている。このように、格子ユニット５が外側格子ユニット１１、中間格子ユニット１２を交互に配列して組み立てられているので、前、後で区別のない構造になる。
【００３１】
また、中間格子ユニット１２は、図４（ａ）,(ｂ)に示すように、その横方向において、上、下横材１０の両端部を縦材９よりも外方に突出させることなく、その両側端部には、一部に切欠部９ａを設けた縦材９を固定した構造とされる。
【００３２】
一方、外側格子ユニット１１は、その横方向において、上、下横材１０の両端部を縦材９よりも外方に突出部１０ａを設けた構造とされ、中間格子ユニット１２の縦材９の切欠部９ａに、外側格子ユニット１１の横材１０の突出部１０ａを嵌め合わせることで、中間格子ユニット１２と、外側格子ユニット１１とを配列させている。このような連結構造では、格子ユニットには前、後がないので、いずれの方向に向けても使用できる。
【００３３】
そして、この間仕切り用格子構造１には、図１に示すように、格子ユニット５の中間部に設けられる中間横桟１３が後ろ側から取り付けられる。この中間横桟１３には、あらかじめ複数のダボ１３ａが立設されており、このダボ１３ａと各縦材９の背後に設けられた切り欠き状の嵌合部９ｂの対応する部分のダボ穴９ｃ（図３）とを嵌合わせることにより、中間横桟１３と格子ユニット５のそれぞれの縦材９とを互いに固定して組立てられるようになっている。このように、それぞれの縦材９が中間横桟１３によって一体に固定されるので、格子ユニット５が、がたついたりすることがない。
【００３４】
また、間仕切り用格子構造１は、格子ユニット５の横材１０をカットすることにより、高さを調整することが可能になっている。
【００３５】
次に、図５〜図８を参照して、間仕切り用格子構造１の施工方法について説明する。図５〜図８は、現地での施工要領を示す斜視図であり、図５は、上側横桟と下側横桟とが左、右の縦枠に固定された状態を示す斜視図であり、図６は、複数の格子ユニットが取り付けられた状態を示す斜視図である。また、図７は、上、下化粧カバーが固定された状態を示す斜視図であり、図８は、中間横桟が縦格子部材に固定され、間仕切り用格子構造の組み立てが完成した状態を示す斜視図である。
【００３６】
この間仕切り用格子構造１においては、まず、図５に示すように、上側横桟３を天井面１７に固着し、下側横桟４を床面１８に固着する
ついで、左、右の縦枠２の上端、下端のそれぞれを、上側横桟３、下側横桟４に固着して、枠体を構成する。
【００３７】
この時、上側横桟３、下側横桟４とが左、右の縦枠２に既に述べたように、ネジ８（図１）とネジ頭を隠すための穴埋め部材８ａ（図１）を用いて固定される。
【００３８】
次に、図６に示すように、左、右の縦枠２で挟まれた、枠体の空間に、外側格子ユニット１１と、中間格子ユニット１２とからなる格子ユニット５を配列し固定する。
【００３９】
すなわち、下側横桟４のＬ状支持部４ａの開口側に格子ユニット５を持って行き、格子ユニット５の上端を上側横桟３の溝条３ａに向けて溝条３ａに嵌入れた後、格子ユニット５を垂直に立てて、格子ユニット５の下端を下側横桟４のＬ状支持部４ａに嵌入れる。
【００４０】
このように、格子ユニット５は、それぞれの上端、下端が上側横桟３の溝条３ａ、下側横桟４のＬ状支持部４ａの各々に嵌入れられて左、右の縦枠２の間に配列された状態に組立られるが、外側に配置される外側格子ユニット１１を左、右の縦枠２側に配置して、その間の空間に中間格子ユニット１２を配列する。
【００４１】
そして、図７に示すように、上側横桟３の前方、後方に上化粧カバー６ａ、６ａを固着させて、上側横桟３を、格子ユニット５の上端部とともに隠蔽する。この時、上化粧カバー６ａ、６ａと上側横桟３との取付は、ビスを使用せずに、突部６ｂを溝３ｂ（図３）に嵌め合わせる。
【００４２】
更に、図７に示すように、下側横桟４の前方にも下化粧カバー７を固着させて、下側横桟４を格子ユニット５の下端部とともに隠蔽する。
【００４３】
そして、最後に図８に示すように、格子ユニット５の中間部に設けられる中間横桟１３と格子ユニット５のそれぞれの縦材９とを互いに固定して組立て固定し、組み立てを完了する。
【００４４】
以上説明したように、本発明の実施の形態に係る間仕切り用格子構造によれば、あらかじめ少なくとも１つの格子ユニットを準備し、この準備された格子ユニットをそれぞれ上側横桟と、下側横桟との間に挟んで組立てるので、現地での施工が容易であるだけでなく、現地における製作において、管理しなければならない主要部材や部品の点数を少なくして管理を簡素化することができる。また、加工箇所を極力少なくして、安価に製作することができる。
【００４５】
そして、組み立てられた間仕切り用格子は、上側横桟、下側横桟のそれぞれの両側端が左、右の縦枠で隠蔽され、上側横桟、下側横桟４の前面、後面が、上、下の化粧カバーで隠蔽され、格子ユニットは、矩形の枠体内に整列された状態でスッキリとした状態に収納配列される。
【００４６】
また、実施例に示したような構造であれば、左、右枠と上化粧カバーとが側面視で面一になっているなど、左、右の縦枠も外観縦枠の側面には何らの突出部がないので、特に、スッキリとした外観になり、意匠性もよい。
【００４７】
また、格子ユニットの連結部が露見せず、格子ユニットに前後の区別がない。さらに、格子間仕切り格子が前後なく使用できる。
【００４８】
そして、上側横桟の前面、後面には上化粧カバーで隠蔽され、かつ下側横桟は、下化粧カバーで隠蔽される構造にしているので、外観がよい。
【００４９】
上述した実施の形態は本発明の好ましい具体例を例示したものに過ぎず、本発明は上述した実施の形態に限定されない。
【００５０】
例えば、本発明は必ずしも天井面、床面に取り付けられるものに限定されず、間仕切りのための構造であれば種々の場所に適用可能である。
【００５１】
また、左、右の縦枠２と、上側横桟、下側横桟と、格子ユニットとは、必ずしも木質系の材料に限定されない。種々の設計変更が可能である。
【００５２】
また、上側横桟の前面、後面の上化粧カバーや下化粧カバーもプラスチックやアルミ合金製に限定されず、種々の材料が採用可能である。
【００５３】
また、左、右の縦枠２は、それぞれの上端、下端が、上側横桟、下側横桟の各々に必ずしもネジとネジ頭を隠すための穴埋め部材とを用いて固着される必要はない。釘やボルトなど種々の手段が採用可能である。
【００５４】
また、中間横桟と格子ユニットのそれぞれの縦材とを互いに固定させるのも、必ずしもを用いる必要はなく、その他の手段が採用可能である。
【００５５】
さらに、格子のパターンも、外側格子ユニット―中間格子ユニット―外側格子ユニットとなるような格子が３つの場合に限らず、例えば格子が５つで、外側格子ユニット―中間格子ユニット―外側格子ユニット―中間格子ユニット―外側格子ユニットとなるパターンなどの設計変更も可能である。
【００５６】
その他、本発明の特許請求の範囲内で種々の設計変更が可能であることはいうまでもない。
【図面の簡単な説明】
【００５７】
【図１】本発明の間仕切り用格子構造の一例を示す分解斜視図である。
【図２】（ａ）は、図１の立面図を（ｂ）は、側面図をそれぞれ示している。
【図３】図２のIII−III縦断面図である。
【図４】（ａ）は複数の格子ユニットの下部の構成を示す部分立面図図、（ｂ）は中間側格子ユニットの切欠部の構造を示す部分断面図である。
【図５】上側横桟と下側横桟とが左、右の縦枠に固定された状態を示す斜視図である。
【図６】複数の格子ユニットが取り付けられた状態を示す斜視図である。
【図７】上、下化粧カバーが固定された状態を示す斜視図である。
【図８】中間横桟が縦格子部材に固定され、間仕切り用格子構造の組み立てが完成した状態を示す斜視図である。
【符号の説明】
【００５８】
１    間仕切り用格子構造
２    左、右の縦枠
３    上側横桟
３ａ  溝条
４    下側横桟
４ａ  Ｌ状支持部
５    格子ユニット
６ａ  上化粧カバー
７    下化粧カバー（押さえ部材に相当）
９    縦材
９ａ  切欠部
１０  上、下横材
１２  中間格子ユニット
１１  外側格子ユニット
１７  天井面
１８  床面
【図１】
2010018963.tif 000003
【図２】
2010018963.tif 000004
【図３】
2010018963.tif 000005
【図４】
2010018963.tif 000006
【図５】
2010018963.tif 000007
【図６】
2010018963.tif 000008
【図７】
2010018963.tif 000009
【図８】
2010018963.tif 000010